(57)【要約】      （修正有）【課題】左右分岐配管が固定されている位置を、作業者が外部から目視して容易に確認することができる左右分岐配管の固定装置を備えたタンクローリを提供する。【解決手段】タンク内に荷積みされた液体を、両端を上下方向に傾動自在とした左右分岐配管を通して、タンクの外部に荷卸し可能としたタンクローリにおいて、左右分岐配管３３が傾動又は水平に位置するように複数の異なる位置で固定可能とする固定装置と、固定装置により左右分岐配管が固定された位置を表示する固定位置表示装置と、をさらに備え、固定位置表示装置は、左右分岐配管が固定される複数の異なる位置に応じて、複数のロック位置確認ピン１０を配設し、左右分岐配管が固定された位置に配設されたロック位置確認ピン１４のみの先端を突出させることで、左右分岐配管の固定位置を表示する。【選択図】図９
0003209968.tif 000002
【実用新案登録請求の範囲】
【請求項１】
タンク内に荷積みされた液体を、両端を上下方向に傾動自在とした左右分岐配管を通して、タンクの外部に荷卸し可能としたタンクローリにおいて、
前記左右分岐配管が傾動又は水平に位置するように複数の異なる位置で固定可能とする固定装置と、
前記固定装置により前記左右分岐配管が固定された位置を表示する固定位置表示装置と、をさらに備え、
前記固定位置表示装置は、前記左右分岐配管が固定される複数の異なる位置に応じて、複数のロック位置確認ピンを配設し、
前記左右分岐配管が固定された位置に配設された前記ロック位置確認ピンのみの先端を突出させることで、前記左右分岐配管の固定位置を表示することを特徴とする。
【考案の詳細な説明】
【技術分野】
【０００１】
本考案は、本考案は、タンクローリの荷卸し用配管の固定位置表示装置に関し、詳しくは、荷卸し用配管の固定位置を作業者が視認できる固定位置表示装置を備えたタンクローリに関する。
【背景技術】
【０００２】
従来、揮発性の燃料等の液体を運搬するタンクローリにおいては、積載した液体の荷卸し用に、タンクローリの底面に荷卸し用の配管が配設されている。この荷卸し用の配管として、タンクローリの駐車の向きに応じて作業性を向上させるために、タンク内の液体をタンクローリの左右両側において荷卸し可能とした両側配管のものがある。このような、両側配管に場合は、荷卸し用の配管に残液が発生することを防ぐために、タンクローリの底面から左右分岐して一体に形成された荷卸し用の配管を、荷卸し側に一定の角度で傾動させて荷卸しを行い、荷卸しが終了するとタンクローリの走行に備えて荷卸し用配管を水平に戻していた。
【０００３】
つまり、両側配管の場合は、タンクローリの状況（例えば、荷卸し、走行中）に応じて両側配管を傾動状態にしたり水平状態にしたりと状況に応じて切り替えるとともに、この状態を維持する必要がある。これにより、例えば、荷卸し中に両側配管の傾動状態を維持できないことで、荷卸し用の配管に残液が発生することを防止することができる。また、走行中に両側配管の水平状態を維持できないことで、走行中の振動等により、タンクローリの底面と荷卸し用の両側配管との接続部に偏った負荷がかかることにより発生する故障を防止することができる。すなわち、タンクローリの状況に応じて両側配管の傾動動作（水平状態を含む）を維持固定する機能を有するものが望まれていた。
【０００４】
そこで、本願出願人は、荷卸し用の配管として両側配管としての左右分岐配管を備えたタンクローリであって、タンク本体下部の接続部を中心として左右分岐配管の両端を上下方向に傾動自在とするとともに、左右分岐配管を接続部を中心として傾動状態又は水平状態の複数の異なる位置で固定可能な固定部を備えたタンクローリの技術を提案している（特許文献１を参照）。
【先行技術文献】
【特許文献】
【０００５】
【特許文献１】特開２０１３−６０２１０号公報
【考案の概要】
【考案が解決しようとする課題】
【０００６】
ところが、上記特許文献１に記載のタンクローリの固定部は、左右分岐配管が傾動状態又は水平状態に位置するように複数の異なる位置で固定可能なものではあるが、左右分岐配管が傾動する角度は小さい（例えば、３度）ため、作業者が固定部に接近した状態では、作業者が目視しても左右分岐配管がどの位置で固定されているか確認しづらいという問題があった。
【０００７】
この考案は、上記課題を解決するためになされたもので、左右分岐配管が固定されている位置を、作業者が外部から目視して容易に確認することができる左右分岐配管の固定位置表示装置を備えたタンクローリを提供することを目的とする。
【課題を解決するための手段】
【０００８】
請求項１に記載の考案は、タンク内に荷積みされた液体を、両端を上下方向に傾動自在とした左右分岐配管を通して、タンクの外部に荷卸し可能としたタンクローリにおいて、前記左右分岐配管が傾動又は水平に位置するように複数の異なる位置で固定可能とする固定装置と、前記固定装置により前記左右分岐配管が固定された位置を表示する固定位置表示装置と、をさらに備え、前記固定位置表示装置は、前記左右分岐配管が固定される複数の異なる位置に応じて、複数のロック位置確認ピンを配設し、前記左右分岐配管が固定された位置に配設された前記ロック位置確認ピンのみの先端を突出させることで、前記左右分岐配管の固定位置を表示することを特徴とする。
【考案の効果】
【０００９】
本考案によれば、左右分岐配管が固定される複数の異なる位置に配設されたロック位置確認ピンの先端の状態を作業者が視認するだけで、左右分岐配管が固定されている位置を作業者が容易に確認することができる。
【図面の簡単な説明】
【００１０】
【図１】本考案の一実施形態のタンクローリの左右分岐配管の水平状態を示す図である。
【図２】本考案の一実施形態のタンクローリの左右分岐配管の傾動状態を示す図である。
【図３】本考案の一実施形態のタンクローリの固定装置を構成するロック部の内部構成を示す断面図である。
【図４】本考案の一実施形態のタンクローリの固定装置の正面図である。
【図５】本考案の一実施形態の固定位置表示装置であるロック位置確認ピンの構成を説明する斜視図である。
【図６】本考案の一実施形態の固定位置表示装置であるロック位置確認ピンの内部構成を示す断面図である。
【図７】本考案の一実施形態の固定位置表示装置であるロック位置確認ピンの作動状態を示す断面図である。
【図８】本考案の一実施形態の固定位置表示装置であるロック位置確認ピンの作動状態を示す断面図である。
【図９】本考案の一実施形態の固定位置表示装置であるロック位置確認ピンの作動状態の外観を示す斜視図である。
【考案を実施するための形態】
【実施例】
【００１１】
以下、本考案の実施例について図面を用いて詳細に説明する。
【００１２】
以下、本考案の実施形態に係るタンクローリの荷卸し用配管の構成、固定装置及び固定位置表示装置の構成について、図１〜図９を参照して具体的に説明する。なお、以下で説明するタンクローリの荷卸し用の配管は、タンクローリの左右両側において荷卸し可能とした両側配管である。
【００１３】
図１に示すように、本実施形態のタンクローリ１は、前部の運転席（図示せず）と後部のタンク２０とで構成され、運転席の後方には、前輪（図示せず）と後輪４との略上部に水平に配設されたシャーシ２の上方にタンク２０が搭載されている。そして、タンク２０の下部でありシャーシ２の上部には、複数の左右分岐配管３３からなる荷卸し用の両側配管３０が配設されている。
【００１４】
なお、本考案のタンクローリは、ガソリン、軽油等の液体燃料をガソリンスタンドに運搬するのに好適に使用できるものを一例として説明するが、これに限定されるものではなく、液体を運搬するタンクローリあれば如何なるものでもよい。
【００１５】
タンク２０の内部は、タンク２０の幅方向に配置された複数の仕切板（図示せず）により複数の室に区分けされている。この複数の室の底面には、それぞれ底弁３１が配設され、各底弁３１にはそれぞれ接続配管３２を介して接続部４０が接続されている。このように、タンク２０の内部を複数の室に区分けし、それぞれの室の底面に底弁３１を設け、それぞれに接続配管３２、接続部４０及び左右分岐配管３３を設けることで、タンクローリ１に異なる種類の液体燃料（ガソリン、軽油、灯油等）を同時に荷積みすることができ、なおかつ、ガソリンスタンドの設備（例えば、異なる種類の液体燃料の貯蔵タンク）に応じた荷卸しをすることができる。
【００１６】
接続部４０には、接続部４０を中心として平面視でＴ字状に形成された左右分岐配管３３の略中央部が接続されている。このように、底弁３１、接続配管３２、接続部４０及び左右分岐配管３３の略中央部を連通して接続することで、タンクローリ１に荷積みされた液体燃料を、タンク２０の内部から底弁３１、接続配管３２、接続部４０及び左右分岐配管３３を通過してタンク２０の外部に荷卸し可能としている。左右分岐配管３３の両端には、タンク２０内に貯留された液体燃料を外部に吐出する左右吐出口７０Ｌ，７０Ｒが設けられている。この左右分岐配管３３は、接続部４０を中心としてタンク２０の幅方向において両端を上下に傾動自在としている。
【００１７】
また、詳細は後述するが、左右分岐配管３３の両端に設けられた左右吐出口７０Ｌ，７０Ｒの近傍には、接続部による左右分岐配管３３の傾動状態を固定するロック部５０と、このロック部の両側を囲むようにブラケット５７（図４参照）とが配設されている。このロック部５０及びブラケット５７は、本考案における左右分岐配管３３の傾動状態（水平状態も含む）を固定する固定装置であり、接続部４０を中心としてタンク２０の幅方向において両端を上下に傾動自在としている左右分岐配管３３の傾動動作を規制するものである。
【００１８】
なお、本実施形態においては、タンク２０の複数の室の底面にそれぞれ底弁３１を配設し、この複数の室の底弁３１にそれぞれ接続配管３２、接続部４０及び左右分岐配管３３を接続する独立配管方式を適用している。しかし、本考案はこれに限らず、例えば、複数の室の底面にそれぞれ配設された底弁３１から複数の室より少ない数の左右分岐配管３３に集中させる等の集中配管方式に適用することもできる。
【００１９】
図１及び図２に示すように、タンクローリ１の後輪４の上部には、タンク２０の下部の幅方向に、左右２本のシャーシ２，２がタンクローリ１の長手方向に同じ高さで配設されている。このシャーシ２，２の上面には、タンク２０を載置するためのサポートフレーム２３，２３がそれぞれ立設され、このサポートフレーム２３，２３を介してタンク２０はシャーシ２，２の上部に搭載されている。左右のサポートフレーム２３，２３の外側面２３ａ、２３ａには、Ｌ字状のブラケット５７，５７（図４参照）が、水平方向に外側に突出して配設されている。左右分岐配管３３の両端に設けられた左右吐出口７０Ｌ，７０Ｒの近傍には、ブラケット５７，５７と嵌合して左右分岐配管３３の傾動動作を固定するロック部５０がそれぞれ設けられている。本考案における固定装置を構成するロック部５０とブラケット５７，５７については、詳細は後述する。
【００２０】
図１に示すように、タンクローリ１の走行中は、左右分岐配管３３は接続部４０を中心として水平状態に維持される。この場合は、左右分岐配管３３に設けたロック部５０と、左右のサポートフレーム２３，２３の外側面２３ａ、２３ａに設けたブラケット５７，５７とにより、左右分岐配管３３は水平状態を維持するように固定されている。このとき、左右分岐配管３３の水平方向の中心線ｂと接続部４０を中心とした水平線ａは略重なった状態である。
【００２１】
図２に示すように、タンクローリ１の左右分岐配管３３の左吐出口７０Ｌから荷卸しを行う場合は、左右分岐配管３３は接続部４０を中心として右上がりの傾動状態に維持される。この場合は、左右分岐配管３３の両端近傍に設けたロック部５０と、左右のサポートフレーム２３，２３の外側面２３ａ、２３ａに設けたブラケット５７，５７とにより、左右分岐配管３３は右上がりの傾動状態を維持するように固定される。このとき、左右分岐配管３３の水平方向の中心線ｂは、接続部４０を中心とした水平線ａに対して所定の角度α（例えば、３度）で右上がりの傾動状態に維持される。また、図示はしないが、左右分岐配管３３の右吐出口７０Ｒから荷卸しを行う場合は、左右分岐配管３３は、図３Ｂに示す傾動状態とは逆に、左右分岐配管３３の水平方向の中心線ｂは、接続部４０を中心とした水平線ａに対して所定の角度α（例えば、３度）で右下がりの傾動状態に維持される。
【００２２】
上述したように、本考案では、荷卸しに使用される左右分岐配管３３の左右吐出口７０Ｌ，７０Ｒの何れかを、下方に所定の角度α（例えば、３度）で傾動させる。そして、当該左右分岐配管３３に応じて設けられた、タンク２０の底部の底弁３１を開放動作してタンク内の液体燃料を外部に吐出する。このとき、荷卸しに使用される吐出口は、下方に所定の角度α（例えば、３度）で傾動しているので、左右分岐配管３３を流れる液体燃料は、重力の作用により左右分岐配管３３に滞留することなく全て外部に吐出される。これにより、荷卸し過程において、左右分岐配管３３に残液が発生せず、液体燃料の荷卸し時の計量誤差を防ぐことができる。
【００２３】
また、左右分岐配管３３を傾動動作は、タンクローリ１から液体燃料の荷卸し作業を行う作業者が人力にて行う。つまり、作業者が、左右分岐配管３３の両端に設けられた左右吐出口７０Ｌ，７０Ｒのうち、荷卸しに用いる左右吐出口７０Ｌ，７０Ｒのいずれかを選択し、荷卸しのための給油ホース等を接続した後、選択した吐出口側を下方に左右分岐配管３３を人力で傾動させる。また、作業員が固定スイッチ（図示せず）を操作して、左右分岐配管３３の傾動状態（傾動状態又は水平状態）を固定するタイミングも作業員が決定する。なお、この固定スイッチは、左右分岐配管３３の傾動状態を固定するだけではなく、固定を解除して、左右分岐配管３３を傾動可能にするためにも作業者により操作されるスイッチである。
【００２４】
本考案の接続部４０は、周知のスイベルジョイント（スイベル管継手又はスイベル継手ともいう）が好適に用いられる。このように、接続部４０にスイベルジョイントを用いることで、接続部４０に接続される左右分岐配管３３を上下方向に傾動自在とできるとともに、接続部４０を通過する液体燃料が外部に漏洩することを防ぐことができる。
【００２５】
以下、図３〜図９を参照して、本実施形態における固定装置及び固定位置表示装置の構成についてさらに詳細に説明する。最初に図３及び図４を参照して、本考案における左右分岐配管３３の固定装置について説明する。なお、本考案の固定装置は、以下で説明するロック部５０と、このロック部５０の両側に配設された左右一対のブラケット５７，５７とにより構成されている。
【００２６】
図３に示すように、ロック部５０は、本体５１と、本体５１を挿通して取付けられるＵ字ボルト５２と、本体５１を挿通したＵ字ボルト５２の両端上部を本体５１に締結するナット５２ａ，５２ａと、所定圧力の圧縮空気を本体５１の内部に挿入するエアホース５６を取付けるエアホース取付金具５５とにより構成される。本体５１の内部には、エアホース５６を介して圧縮空気が供給される空気室５１ａと、空気室５１ａの左右両側に配設されたピストンロッド５３，５３と、左右のピストンロッド５３，５３を本体５１の内部に収納するように付勢するスプリング５４，５４とが設けられている。
【００２７】
ロック部５０は、左右分岐配管３３の任意の位置に着脱自在に構成されている。すなわち、Ｕ字ボルト５２の下部の湾曲部の内径は、左右分岐配管３３の外径と略同径であり、該湾曲部と本体５１の下面に形成された凹部とにより左右分岐配管３３の外側を挟持して、本体５１の両端上部からナット５２ａ，５２ａを締結することで、左右分岐配管３３にロック部５０が固定されて取付けられる。また、本体５１の両端上部のナット５２ａ，５２ａを取り外すことで、左右分岐配管３３に取付けられたロック部５０を容易に取外すことができる。また、ロック部５０は、左右分岐配管３３の両端の左右吐出口７０Ｌ，７０Ｒの近傍の所定の位置に、それぞれ取り付けられている。
【００２８】
エアホース５６を介して、本体５１の内部の空気室５１ａに圧縮空気が供給されると、圧縮空気の圧力により、左右のピストンロッド５３，５３の先端が本体５１の左右の外部に突出する。すなわち、空気室５１ａ内に供給される圧縮空気の圧力が、スプリング５４，５４の付勢力よりも大きくなった場合に、左右のピストンロッド５３，５３の後端が圧縮空気の圧力により押され、左右のピストンロッド５３，５３の先端が本体５１の左右外部に突出するように構成されている。
【００２９】
そして、圧縮空気の供給が停止されると、スプリング５４の付勢力により、左右のピストンロッド５３，５３は本体５１の内部に収納される。つまり、ロック部５０左右のピストンロッド５３，５３は、エアホース５６を介して所定圧力の圧縮空気が供給され続けている間は本体５１の左右外部に突出し、圧縮空気の供給が停止すると本体５１の内部に収納される。
【００３０】
図４に示すように、ロック部５０の左右両側には、平面視においてＬ字状の左右一対のブラケット５７，５７が、左右のサポートフレーム２３，２３の外側面２３ａ、２３ａに水平方向に突出して、それぞれボルト５７ａ及びナット（図示せず）により取付けられている。左右一対のブラケット５７，５７は、左右分岐配管３３の両端の左右吐出口７０Ｌ，７０Ｒの近傍に取付けられた左右のロック部５０を中央に配置して、該ロック部５０の両側に左右対称に配設されている。また、左右一対のブラケット５７，５７の底部には受け板５８が懸架されている。この受け板５８は、左右分岐配管３３の傾きを規制するためのものであり、左右分岐配管３３の両端が、一定角度以上に傾動することで、タンクローリ１の他の箇所（例えば、タンク２０等）に接触することを防ぐために設けられている。
【００３１】
左右一対のブラケット５７，５７には、垂直方向に所定の間隔をおいて３箇所の嵌入孔５３Ｈ，Ｍ，Ｌが、水平面で同じ高さで左右対称に設けられている。そして、３箇所の嵌入孔５３Ｈ，Ｍ，Ｌの何れかに、ロック部５０の本体５１の左右外側に突出した左右のピストンロッド５３，５３の先端部がそれぞれ嵌合することで、左右分岐配管３３の３段階の頃動状態（タンクローリ１を正面視して、右上がり傾動状態、水平状態、右下がり傾動状態）というように、複数の異なる位置に固定することができる。
【００３２】
続いて、図５〜９を参照して、本考案の固定位置表示装置について説明する。なお、本考案の固定位置表示装置は、以下で説明する左右一対のブラケット５７，５７にそれぞれ設けられた３箇所の嵌入孔５３Ｈ，Ｍ，Ｌを外側から塞ぐように配設された複数のロック位置確認ピン１０で構成される。
【００３３】
左右一対のブラケット５７，５７にそれぞれ設けられた３箇所の嵌入孔５３Ｈ，Ｍ，Ｌの外側を塞ぐように、複数のロック位置確認ピン１０がそれぞれ配設されている。このロック位置確認ピン１０は、例えば、３箇所の嵌入孔５３Ｈ，Ｍ，Ｌを外側から塞ぐように、左右一対のブラケット５７，５７にそれぞれ溶接されて取り付けられている。
【００３４】
ロック位置確認ピン１０は、図５に示すように、ブラケット５７，５７への取り付け部１１と、内部にピン１４を水平方向に進退自在とした状態で内包する円筒形状のピン本体１２とにより構成されている。ピン１４は、ピン１４の水平方向の進退に伴い、ピン本体１２から出没自在とした先端１４ａと、上述した本体５１の左右外側に突出した左右のピストンロッド５３，５３の先端部により押圧される後端１４ｂと、略中央部に形成されたフランジ１４ｃとを有している。
【００３５】
そして、図６に示すように、ピン本体１２の内部は、円筒形状の内部空間１６を貫通して、略中央部にフランジ１４ｃが形成された円筒形状のピン１４が設けられ、このピン１４の周囲を囲繞するようにコイルスプリング１５が設けられている。このコイルスプリング１５は、一端（図６では左端）はピン１４のフランジ１４ｃと当接し、他端（図６では右端）はピン本体１２の内部に形成された本体フランジ１２ａと当接している。この構成により、ロック位置確認ピン１０は、コイルスプリング１５の付勢力により、水平方向に進退可能としたピン１４の先端１４ａ（図６では、右端）をピン本体１２の内部に収納し、ピン１４の後端１４ｂ（図６では、左端）をピン本体１２の外部に突出した状態となるようにしている。
【００３６】
図７に示すように、ロック部５０によりロックが掛けられていない状態では、ロック位置確認ピン１０は、上述したように、コイルスプリング１５の付勢力により、水平方向に進退可能とした円筒形状のピン１４の先端１４ａをピン本体１２の内部に収納し、ピン１４の後端１４ｂをピン本体１２の外部であり、嵌入孔５３Ｈ，Ｍ，Ｌの中に突出した状態で、ブラケット５７の外側から３箇所の嵌入孔５３Ｈ，Ｍ，Ｌを覆うように配設されている。
【００３７】
図８に示すように、ロック部５０によりロックが掛けられている状態では、ロック位置確認ピン１０は、ピン本体１２の外部に突出したピン１４の後端１４ｂが、ロック部５０の本体５１の左右外側に突出したピストンロッド５３の先端部により水平方向（図８では右方向）に押圧される。これにより、ピン本体１２の内部空間１６に設けられたコイルスプリング１５は、ピン１４の略中央部に設けられたフランジ１４ｃに押圧されて縮むとともに、ピン１４の先端１４ａは、ピストンロッド５３の先端部に押された分だけピン本体１２の外部に突出する。
【００３８】
そして、ピストンロッド５３によるピン１４の後端１４ｂへの押圧が解除されると、図７に示すロック位置確認ピン１０は、コイルスプリング１５の付勢力により、水平方向に進退（図７では左方向）して、ピン１４の先端１４ａをピン本体１２の内部に収納し、ピン１４の後端１４ｂをピン本体１２の外部の嵌入孔５３Ｈ，Ｍ，Ｌの中に突出した状態に戻る。
【００３９】
上述してきたように、本考案の固定位置表示装置であるロック位置確認ピン１０は、図９に示すように、左右分岐配管３３が水平状態にロックされている状態では、ロックが掛かっている位置（嵌入孔５３Ｍ）に配設されているロック位置確認ピン１０のみピン１４が突出した状態となる。同様にして、図示はしないが、左右分岐配管３３が傾斜状態にロックされている状態では、ロックが掛かっている位置（嵌入孔５３Ｈ又は５３Ｌ）に配設されているロック位置確認ピン１０のみピン１４が突出した状態となる。
【００４０】
つまり、本考案においては、ブラケット５７に形成された３箇所の嵌入孔５３Ｈ，Ｍ，Ｌの外側に配設された何れかのロック位置確認ピン１０は、先端からピン１４を突出した状態とすることで、左右分岐配管３３の固定されている位置を表示することになる。これにより、作業者が固定装置に接近して、固定装置を構成するブラケット５７，５７にそれぞれ設けられた３箇所の嵌入孔５３Ｈ，Ｍ，Ｌの外側に配設された何れかのロック位置確認ピン１０のピン１４が突出しているか否かを目視することで、左右分岐配管３３のロック位置を作業者が外部から目視して容易に確認することができる。
【００４１】
上述してきたように、本実施形態においては、左右分岐配管３３の傾動状態は、水平状態（図１に示す水平様態）、作業者により選択された吐出口を下方として、右上がり傾動状態（図２に示す傾動状態）又は右下がり傾動状態（図示せず）の何れかの傾動状態に固定できるようにしている。
【００４２】
作業者は、荷卸し場所（例えば、給油所等）にタンクローリ１を駐車させると、上記固定スイッチ（図示せず）を操作して、水平状態のロックを解除する。これにより、ロック部５０への圧縮空気の供給が停止されることで、ロック部５０の左右のピストンロッド５３，５３の先端がロック部５０の内部へ収納されてロックが解除された状態となり、左右分岐配管３３は頃動自在となる。これに伴い、左右分岐配管３３のロックを解除した位置（嵌入孔５３Ｍ）に配設されているロック位置確認ピン１０は、ピン１４の先端１４ａが突出した状態（図８参照）から、ピン１４がピン本体１２内部に収納された状態（図７参照）となる。このように、本考案では、ロック位置確認ピン１０のピン１４の状態を目視することで、ロック解除状態を作業者が視認することができる。
【００４３】
そして、荷卸しする状況に合わせて、左右分岐配管３３を頃動状態（タンクローリ１を正面視して、右上がり傾動状態又は右下がり傾動状態）にして、固定スイッチを操作して傾動状態をロックする。これにより、ロック部５０へ圧縮空気が供給され、ロック部５０の左右のピストンロッド５３，５３の先端がロック部５０の外部へ突出し、ブラケット５７の嵌入孔５３Ｈ又は５３Ｌの何れかに、左右のピストンロッド５３，５３の先端部がそれぞれ嵌合することで、左右分岐配管３３の頃動状態が固定される。これに伴い、左右分岐配管３３が傾動状態でロックされる位置（嵌入孔５３Ｈ又は５３Ｌ）に配設されているロック位置確認ピン１０は、ピン１４がピン本体１２内部に収納された状態（図７参照）から、ピン１４の先端１４ａが突出した状態（図８参照）になる。このように、本考案では、ロック位置確認ピン１０のピン本体１２からピン１４の先端１４ａを突出させることで、左右分岐配管３３の固定されている位置を表示することになる。これにより、ロック位置確認ピン１０のピン１４の先端１４ａの状態を目視することで、ロック状態を作業者が視認することができる。
【００４４】
そして、荷卸し作業が終了すると、作業者は、固定スイッチを操作してロックを解除して、タンクローリ１の走行位置（左右分岐配管３３が水平状態となる位置）に左右分岐配管３３を傾動させ、固定スイッチを操作して左右分岐配管３３の位置を固定する。このように、本考案においては、ロック位置確認ピン１０のピン１４の状態を目視することで、ロック状態又はロック解除状態を作業者が容易に視認することができるので、より安全に荷卸し作業を行うことができる。
【００４５】
また、タンクローリ１の走行中は、左右分岐配管３３が水平に位置するように固定することで、タンクローリ１の走行中の振動等による左右分岐配管３３の傾動動作を防止することができ、接続部４０に余計な負荷がかかることで生じる故障を未然に防止することができる。
【００４６】
なお、上述したように、本実施形態においては、左右分岐配管３３の左右両方に設けられた固定装置（ロック部５０及び一対のブラケット５７，５７）で、左右分岐配管３３の形動状態を固定しているが、これに限らず、固定装置の固定強度が十分であればどちらか片方の固定でも構わない。
【００４７】
また、本考案の固定位置表示装置であるロック位置確認ピン１０は、左右一対のブラケット５７，５７にそれぞれ設けられた３箇所の嵌入孔５３Ｈ，Ｍ，Ｌの外側に配設するようにしたが、左右一対のブラケット５７，５７の何れか一方に配設してもよい。この場合は、ロック位置確認ピン１０が配設される側のブラケット５７は、ロック又はロック解除を操作する固定スイッチ（図示せず）を作業者が操作する際に、作業者がロック位置確認ピン１０のピン１４の状態（つまり、ピン１４が突出しているか否か）を視認できる側のブラケット５７であることが望ましい。
【００４８】
また、上述してきた実施形態においては、固定装置は、左右分岐配管３３の形動動作を３段階（右上がり傾動状態、右下がり傾動状態及び水平状態）で固定できるようにしているが、本考案はこれに限定されるものではなく、より多段階（例えば、５段階）で固定できるように構成してもよい。
【００４９】
また、左右分岐配管３３を傾動させる所定の角度は、特に限定されるものではなく、荷卸し中の左右分岐配管３３に残液が残らない角度であればよい。
【００５０】
また、固定装置として、ロック部５０と一対のブラケット５７，５７を用い、圧縮空気を利用してロック部５０の左右のピストンロッド５３，５３を出没自在として左右分岐配管３３の傾動状態を固定している。しかし、左右分岐配管３３の傾動状態を固定する手段は特に限定されるものではなく、左右分岐配管３３の傾動状態を固定できればよい。更に、ロック部５０の左右のピストンロッド５３，５３を出没自在とする動力は、圧縮空気に限らず、手動、油圧、電力等であってもよい。
【００５１】
本考案によれば、左右分岐配管３３の左右吐出口７０Ｌ，７０Ｒの近傍には、接続部４０による左右分岐配管３３の傾動状態を固定する固定装置（ロック部５０及びブラケット５７）が配設され、この固定装置により、左右分岐配管３３が傾動又は水平に位置するように、複数の異なる位置で左右分岐配管３３の傾動状態を固定することができる。
【００５２】
かかる構成の固定装置（ロック部５０及びブラケット５７）により、荷卸し中には左右分岐配管３３のうち使用される左右吐出口７０Ｌ，７０Ｒに応じて傾動状態を固定し、タンクローリ１の走行中には、左右分岐配管３３が水平に位置するように固定するなど、左右吐出口７０Ｌ，７０Ｒが使用される状況に応じて左右分岐配管３３の傾動状態を固定することができる。さらに、ブラケット５７に配設された固定位置表示装置であるロック位置確認ピン１０により、左右分岐配管３３の固定位置を表示しているため、作業者が左右分岐配管３３の固定位置を視認することができるため、荷卸し作業時と走行時で異なる適正な左右分岐配管３３の固定位置を作業者が間違うことがない。
【００５３】
以上、上述した実施形態を通して本考案を説明してきたが、本考案はこれらに限定されるものではない。また、上述した各種効果は、本考案から生じる最も好適な効果を列挙したに過ぎず、本考案による効果は、実施例に記載されたものに限定されるものではない。
【符号の説明】
【００５４】
１  タンクローリ
１０  ロック位置確認ピン
１１  取り付け部
１２  ピン本体
１４  ピン
１５  コイルスプリング
１６  内部空間
２０  タンク
３３  左右分岐配管
５０  ロック部
５７  ブラケット
【図１】
0003209968.tif 000003
【図２】
0003209968.tif 000004
【図３】
0003209968.tif 000005
【図４】
0003209968.tif 000006
【図５】
0003209968.tif 000007
【図６】
0003209968.tif 000008
【図７】
0003209968.tif 000009
【図８】
0003209968.tif 000010
【図９】
0003209968.tif 000011
【手続補正書】
【提出日】平成29年2月8日(2017.2.8)
【手続補正１】
【補正対象書類名】実用新案登録請求の範囲
【補正対象項目名】全文
【補正方法】変更
【補正の内容】
【実用新案登録請求の範囲】
【請求項１】
タンク内に荷積みされた液体を、両端を上下方向に傾動自在とした左右分岐配管を通して、タンクの外部に荷卸し可能としたタンクローリにおいて、
前記左右分岐配管が傾動又は水平に位置するように複数の異なる位置で固定可能とする固定装置と、
前記固定装置により前記左右分岐配管が固定された位置を表示する固定位置表示装置と、をさらに備え、
前記固定位置表示装置は、前記左右分岐配管が固定される複数の異なる位置に応じて、複数のロック位置確認ピンを配設し、
前記左右分岐配管が固定された位置に配設された前記ロック位置確認ピンのみの先端を突出させることで、前記左右分岐配管の固定位置を表示することを特徴とするタンクローリ。